【手続補正書】
【提出日】平成15年7月7日(2003.7.7)
【手続補正１】
【補正対象書類名】明細書
【補正対象項目名】特許請求の範囲
【補正方法】変更
【補正の内容】
【特許請求の範囲】
【請求項１】
時計ケースと、
この時計ケース内に収納され、指針を有する時計モジュールと、
この時計モジュール上に設けられ、前記指針が上方で運針する文字板と、
この文字板の周縁部上に配置され、時字が設けられた時字パネルと、
前記時計ケースに対して固定され、前記時字パネルを位置決めする見切り部材とを備えたことを特徴とする指針式時計。
【請求項２】
時計ケースと、
この時計ケース内に収納され、指針を有する時計モジュールと、
この時計モジュール上に設けられ、前記指針が上方で運針する文字板と、
この文字板の周縁部上に配置され、時字が設けられた時字パネルと、
前記時計モジュールの外周部に装着した中枠と、
前記時字パネルおよび前記時計モジュールが前記中枠と共に収納された内装部材と、
この内装部材により前記時計ケースに対し固定され、前記時字パネルを位置決めする見切り部材とを備え、
前記時字パネルの外周部および前記中枠の外周部には、それぞれ突起部が設けられ、前記内装部材には、前記各突起部が係合する係合部が設けられていることを特徴とする指針式時計。
【請求項３】
前記見切り部材には、前記時字パネルの複数個所を位置決めする複数の位置決め部が設けられていることを特徴とする請求項１または２記載の指針式時計。
【請求項４】
前記時字パネルと前記文字板との間には、スペーサが設けられていることを特徴とする請求項１または２記載の指針式時計。
【請求項５】
前記時計ケースの裏面には裏蓋が締め込まれて螺着され、この裏蓋と前記時計モジュールとの間には、滑り材を介して緩衝体が配置されていることを特徴とする請求項１または２記載の指針式時計。
【請求項６】
時計ケースと、
この時計ケース内に収納され、指針を有する時計モジュールと、
この時計モジュール上に設けられた時字パネルと、
前記時計ケースに対して固定され、前記時字パネルを位置決めする位置決め部材とを備えており、
前記時字パネル上に突出して形成された複数の時字部と前記位置決め部材に形成された複数の位置決め部とが互いに嵌合していることを特徴とする指針式時計。
【請求項７】
前記複数の時字部のうち、１２時に位置する時字部を１２時以外の他の時に位置する時字部の幅と比較して幅広に形成したことを特徴とする請求項６記載の指針式時計。
【請求項８】
前記時字パネルは、平板状のリング形状を成すことを特徴とする請求項６記載の指針式時計。
【請求項９】
前記位置決め部材は、前記各時字部と対応した位置にそれぞれマークが施されていることを特徴とする請求項６記載の指針式時計。
【請求項１０】
前記複数の時字部は、先端面上に時字が蛍光塗料などの印刷によって設けられた構成になっていることを特徴とする請求項６記載の指針式時計。
【請求項１１】
前記複数の時字部は、１時から１２時の各時に対応して前記時字パネル上に突出して形成されていることを特徴とする請求項６記載の指針式時計。
【請求項１２】
前記複数の位置決め部は、１時から１２時の各時の位置に対応して形成されていることを特徴とする請求項６記載の指針式時計。
【請求項１３】
前記複数の時字部は、１時から１２時の各時に対応して前記時字パネル上に突出して形成し、
前記複数の位置決め部は、１時から１２時の各時の位置に対応して形成し、
これら位置決め部のうち１２時と６時とに対応する位置決め部は、前記時字パネルの１２時と６時とに位置する各時字部の幅とほぼ同じ大きさで形成されていることを特徴とする請求項６記載の指針式時計。
【手続補正２】
【補正対象書類名】明細書
【補正対象項目名】０００６
【補正方法】変更
【補正の内容】
【０００６】
また、請求項２記載の発明は、図６〜図９に示すように、時計ケース（腕時計ケース１）と、この時計ケース内に収納され、指針を有する時計モジュール（６）と、この時計モジュール上に設けられ、前記指針が上方で運針する文字板（１０）と、この文字板の周縁部上に配置され、時字が設けられた時字パネル（１１）と、前記時計モジュールの外周部に装着した中枠（１７）と、前記時字パネルおよび前記時計モジュールが前記中枠と共に収納された内装部材（１８）と、この内装部材により前記時計ケースに対し固定され、前記時字パネルを位置決めする見切り部材（３０）とを備え、前記時字パネルの外周部および前記中枠の外周部には、それぞれ突起部（３２、３１）が設けられ、前記内装部材には、前記各突起部が係合する係合部（切欠部３３）が設けられていることを特徴とする。
この発明によれば、文字板と時字パネルとを別々に構成し、この時字パネルを文字板の周縁部上に配置して見切り部材によって位置決めしたので、請求項１記載の発明と同様、見切り部材と時字パネルとの位置ずれを防ぐことができるほか、特に時計モジュールが装着する中枠の外周部と時字パネルの外周部に設けられた突起部をそれぞれ内装部材の係合部に係合させたので、時計モジュールを組み込む際、あるいは落下などの衝撃を受けた際に、時計モジュール、中枠、時字パネル、および内装部材が一体的に動くことになり、このため時計モジュールと時字とが位置ずれすることがなく、これにより見切り部材、時字、および時計モジュールの相互の位置ずれを確実に防ぐことができる。
更に、請求項６記載の発明は、時計ケース（腕時計ケース１）と、この時計ケース内に収納され、指針を有する時計モジュール（６）と、この時計モジュール上に設けられた時字パネル（１１）と、前記時計ケースに対して固定され、前記時字パネルを位置決めする位置決め部材（３）とを備えており、前記時字パネル上に突出して形成された複数の時字部（１４）と前記位置決め部材に形成された複数の位置決め部（１６）とが互いに嵌合していることを特徴とする。
この発明によれば、時字パネル上に突出して形成された複数の時字部と位置決め部材に形成された複数の位置決め部とが互いに嵌合しているので、時計モジュールを組み込む際、あるいは落下などの衝撃を受けた際に、位置決め部材に対して時字パネルが位置ずれすることがなく、位置決め部材と時字パネルとの位置ずれを確実に防ぐことができる。
【手続補正３】
【補正対象書類名】明細書
【補正対象項目名】０００９
【補正方法】変更
【補正の内容】
【０００９】
一方、前述した時字パネルを面方向に位置決めするための位置決め部材である見切り部材３は、図４（ａ）および図４（ｂ）に示すように、全体がリング状に形成されたものであり、腕時計ケース１内の鍔部２上に配置される平坦部３ａと、この平坦部３ａから腕時計ケース１の内側に向けて斜め下方に傾斜する傾斜部３ｂとが一体に形成されている。この場合、傾斜部３ｂの表面には、図５に示すように、分目盛などの見切りマーク１５が印刷により設けられている。また、傾斜部３ｂの下端部には、時字パネル１１の各時字１４ａを露出させた状態で、時字パネル１１の各時字部１４の付け根部分のみがそれぞれ嵌合して時字パネル１１を位置決めする位置決め部としての凹部１６が１時〜１２時の位置に対応して形成されている。これら位置決め部としての凹部１６のうち、１２時と６時に対応する位置決め部としての凹部１６は、図５（ａ）〜図５（ｃ）に示すように、時字パネル１１の１２時と６時に位置する各時字部１４の幅とほぼ同じ大きさで、公差がきわめて小さく形成されており、他の位置決め部としての凹部１６は各時字部１４の幅よりも広く形成されている。これにより、時字パネル１１は、１２時と６時に対応する位置決め部としての凹部１６によって時字パネル１１の面方向が位置決めされ、図５（ａ）および図５（ｂ）に示すように、各時字部１４の時字１４ａが見切り部材３の見切りマーク１５と一致するようになっている。


【手続補正４】
【補正対象書類名】明細書
【補正対象項目名】００１２
【補正方法】変更
【補正の内容】
【００１２】
この状態で、時字パネル１１、時計モジュール６、および中枠１７が収納された内装部材１８を緩衝ゴム１９と共に腕時計ケース１内にその下側から収納し、時字パネル１１の各時字１４ａを露出させた状態で、時字パネル１１の各時字部１４の付け根部分のみを見切り部材３の傾斜部３ｂの下端部に形成された各位置決め部としての凹部１６にそれぞれ嵌合させる。このときには、図５（ａ）〜図５（ｃ）に示すように、１２時と６時に対応する位置決め部としての凹部１６と、これに対応する１２時と６時の時字部１４との公差が小さいので、見切り部材３の各位置決め部としての凹部１６により時字パネル１１の面方向を精度良く位置決めすることができ、これにより、図５（ａ）および図５（ｂ）に示すように、各時字部１４の時字１４ａと見切り部材３の見切りマーク１５とを正確に一致させることができる。


【手続補正５】
【補正対象書類名】明細書
【補正対象項目名】００１４
【補正方法】変更
【補正の内容】
【００１４】
このように、この指針式腕時計では、時計モジュール６に設けられた文字板１０と時字パネル１１とを別々に構成し、この時字パネル１１を文字板１０の周縁部上に配置して見切り部材３によって位置決めしたので、見切り部材３と時字パネル１１とが別々の部品であっても、時計モジュール６を組み込む際、あるいは落下などの衝撃を受けた際に、見切り部材３に対して時字パネル１１が位置ずれすることがなく、見切り部材３と時字パネル１１との位置ずれを確実に防ぐことができる。
また、この指針式腕時計では、文字板１０の周縁部上に合成樹脂製のスペーサ１２を介して時字パネル１１を配置したので、時計モジュール６を組み込む際、あるいは落下などの衝撃を受けた際に、時計モジュール６と共に文字板１０が腕時計ケース１内で動いたとしても、時字パネル１１によって文字板１０にすり傷を付けないようにすることができ、しかも文字板１０の周縁部上に時字パネル１１を配置したことにより、時字構造として立体感のあるものを得ることができる。
更に、この指針式腕時計では、時字パネル１１上に突出して形成された複数の時字部１４と位置決め部材３に形成された複数の位置決め部１６とが互いに嵌合しているので、時計モジュール６を組み込む際、あるいは落下などの衝撃を受けた際に、位置決め部材３に対して時字パネル１１が位置ずれすることがなく、位置決め部材３と時字パネル１１との位置ずれを確実に防ぐことができる。
【手続補正６】
【補正対象書類名】明細書
【補正対象項目名】００１５
【補正方法】変更
【補正の内容】
【００１５】
［第２実施形態］
次に、図６〜図９を参照して、この発明を指針式腕時計に適用した第２実施形態について説明する。なお、図１〜図５に示された第１実施形態と同一部分には同一符号を付し、その説明は省略する。
この指針式腕時計は、図６に示すように、見切り部材３０の形状および設置位置が第１実施形態と異なるとともに、内装部材１８に対する時字パネル１１と中枠１７の取付構造も異なり、これら以外は第１実施形態と同じ構成になっている。
すなわち、見切り部材３０は、図６に示すように、腕時計ケース１の下方から挿入されて腕時計ケース１内の鍔部２の下面に配置されている。この見切り部材３０は、全体がリング状に形成されたものであり、鍔部２の下面に配置される平坦部３０ａと、この平坦部３０ａの内端部にその上下に突出して斜めに傾斜した傾斜部３０ｂとが一体に形成されている。この場合にも、傾斜部３０ｂの表面には、第１実施形態と同様、分目盛などの見切りマーク１５が印刷により設けられている。また、傾斜部３０ｂの下端部には、時字パネル１１の各時字１４ａを露出させた状態で、時字パネル１１の各時字部１４の付け根部分のみがそれぞれ嵌合して時字パネル１１を位置決めする位置決め部としての凹部１６が１時〜１２時の位置に対応して形成されている。


【手続補正７】
【補正対象書類名】明細書
【補正対象項目名】００１８
【補正方法】変更
【補正の内容】
【００１８】
この状態で、時計モジュール６、中枠１７、文字板１０、および時字パネル１１を内装部材１８内にその下側から挿入して装着する。このときには、時字パネル１１の突起部３２と中枠１７の突起部３１とを内装部材１８の切欠部３３に対応させてその下側より順に挿入して係合させる。この後、内装部材１８の外周面に緩衝ゴム１９を装着する。このときにも、内装部材１８の切欠部３３に緩衝ゴム１９の切欠部３４を対応させ、この切欠部３４内に時字パネル１１および中枠１７の各突起部３２、３１を若干突出させて挿入させる。
そして、緩衝ゴム１９の鍔部１９ａ上に見切り部材３０の平坦部３０ａを配置するとともに、この見切り部材３０の下端部の各位置決め部としての凹部１６に時字パネル１１の各時字部１４の付け根部分のみをそれぞれ嵌合させて位置決めし、各時字部１４の時字１４ａと見切り部材３の見切りマーク１５とを一致させる。


【手続補正８】
【補正対象書類名】明細書
【補正対象項目名】００２３
【補正方法】変更
【補正の内容】
【００２３】
また、請求項２記載の発明によれば、文字板と時字パネルとを別々に構成し、この時字パネルを文字板の周縁部上に配置して見切り部材によって位置決めしたので、請求項１記載の発明と同様、見切り部材と時字パネルとの位置ずれを防ぐことができるほか、特に時計モジュールが装着する中枠の外周部と時字パネルの外周部とに設けられた突起部をそれぞれ内装部材の切欠部である係合部に係合させたので、時計モジュールを組み込む際、あるいは落下などの衝撃を受けた際に、時計モジュール、中枠、時字パネル、および内装部材が一体的に動くことになり、このため時計モジュールと時字とが位置ずれすることがなく、これにより見切り部材、時字、および時計モジュールの相互の位置ずれを確実に防ぐことができる。
更に、請求項６記載の発明によれば、時字パネル上に突出して形成された複数の時字部と位置決め部材に形成された複数の位置決め部とが互いに嵌合しているので、時計モジュールを組み込む際、あるいは落下などの衝撃を受けた際に、位置決め部材に対して時字パネルが位置ずれすることがなく、位置決め部材と時字パネルとの位置ずれを確実に防ぐことができる。